(57)【特許請求の範囲】
【請求項１】
合成樹脂発泡体の板又はブロックを積み重ねた軽量盛土の側面に沿って立設された支柱と、該支柱間に取り付けられた壁パネルとを備えた軽量盛土用側壁において、
前記軽量盛土用側壁の直線部に立設された支柱が、前記壁パネルの端部を把持する取付部が設けられた複数の単位柱体を中心軸方向に連結したもので、しかも前記壁パネルが合成樹脂発泡体の芯材の表面に表面材を設けた複合板であって、その端部が前記取付部に把持されて前記支柱間に取り付けられており、
前記軽量盛土用側壁の屈曲部の角部に立設された支柱が、前記壁パネルの端部を把持する１又は複数の取付部が一方向に向けて設けられた複数の単位柱体を中心軸方向に連結したもので、しかも該単位柱体が、その中心軸回りに取付部の向きをずらせて連結可能となっていることを特徴とする軽量盛土用側壁。
【請求項２】
合成樹脂発泡体の板又はブロックを積み重ねた軽量盛土の側面に沿って立設された支柱と、該支柱間に取り付けられた壁パネルとを備えた軽量盛土用側壁において、
前記軽量盛土用側壁の直線部に立設された支柱が、前記壁パネルの端部を把持する取付部が設けられた複数の単位柱体を中心軸方向に連結したもので、しかも前記壁パネルが合成樹脂発泡体の芯材の表面に表面材を設けた複合板であって、その端部が前記取付部に把持されて前記支柱間に取り付けられており、
前記軽量盛土用側壁の屈曲部の角部に立設された支柱が、前記壁パネルの端部を把持する１又は複数の取付部が一方向に向けて設けられた複数の外筒を外周側に嵌め込んだ複数の単位柱体を中心軸方向に連結したもので、しかも前記外筒が、その中心軸回りに取付部の向きをずらせて前記単位柱体に嵌め込み可能となっていることを特徴とする軽量盛土用側壁。
【請求項３】
前記軽量盛土の上面上から各支柱の上方に被さる領域に上部コンクリート床版が形成されており、該上部コンクリート床版の下面に、少なくとも一部の支柱の位置に対応して凹部が形成されており、対応する支柱の上端が前記凹部内に周囲に遊びを持って収納されている一方、各支柱の下端が、傾動を許容する状態で支持されていることを特徴とする請求項１又は２に記載の軽量盛土用側壁。
【請求項４】
前記軽量盛土の高さ方向中間部に中間コンクリート床版が挟み込まれており、少なくとも一部の前記支柱の中間部が、少なくとも上下方向の接続角度を可変に接続する接続具で前記中間コンクリート床版に接続されていることを特徴とする請求項３に記載の軽量盛土用側壁。
【発明の詳細な説明】
【技術分野】
【０００１】
本発明は、合成樹脂発泡板を積み重ねた軽量盛土の側面に沿って形成される軽量盛土用側壁であって、軽量盛土の側面に沿って立設された支柱と、この支柱間に取り付けられた壁パネルとを備えた側壁に関する。
【背景技術】
【０００２】
従来、特許文献１に示されるように、合成樹脂発泡板を積み重ねた軽量盛土の側面に沿って、Ｈ形鋼の支柱を、両フランジに挟まれた空間部分を向き合わせて立設し、相隣接する支柱のフランジ間の空間部分に端部を挿入するようにして壁パネルを設置した軽量盛土用側壁が知られている。通常、支柱は、土中への打ち込みや基礎コンクリートでの支持によりにしっかりと自立されている。また、壁パネルとしては通常コンクリート板が用いられている。
【先行技術文献】
【特許文献】
【０００３】
【特許文献１】特開２０１０−２２２８０６号公報
【発明の概要】
【発明が解決しようとする課題】
【０００４】
しかしながら、上記従来の軽量盛土用側壁の場合、長くて重いＨ形鋼の支柱をしっかりと立設し、しかもコンクリート製で重い壁パネルを、立設した支柱の最上部から順次支柱間へ落とし込まなければならないので、施工には重機が不可欠で、施工コストがかかる問題がある。また、壁パネルが損傷した場合、やはり重機を入れなければ交換することができず、維持管理にも手間とコストがかかる問題がある。更に、屈曲部を有する側壁を構築する場合、角部に向きを変えた２本の支柱を立設しなければならず、その方向合わせなどに手間がかかる問題もある。
【０００５】
本発明は、上記従来の問題点に鑑みてなされたもので、重機を用いることなく構築と補修を容易に行うことが可能な軽量盛土用側壁を提供することを第一の目的とする。また、本発明は、屈曲部を有する側壁であっても容易に構築することができるようにすることを第二の目的とする。
【課題を解決するための手段】
【０００６】
上記目的のために本発明は、合成樹脂発泡体の板又はブロックを積み重ねた軽量盛土の側面に沿って立設された支柱と、該支柱間に取り付けられた壁パネルとを備えた軽量盛土用側壁において、
前記軽量盛土用側壁の直線部に立設された支柱が、前記壁パネルの端部を把持する取付部が設けられた複数の単位柱体を中心軸方向に連結したもので、しかも前記壁パネルが合成樹脂発泡体の芯材の表面に表面材を設けた複合板であって、その端部が前記取付部に把持されて前記支柱間に取り付けられており、
前記軽量盛土用側壁の屈曲部の角部に立設された支柱が、前記壁パネルの端部を把持する１又は複数の取付部が一方向に向けて設けられた複数の単位柱体を中心軸方向に連結したもので、しかも該単位柱体が、その中心軸回りに取付部の向きをずらせて連結可能となっていることを特徴とする軽量盛土用側壁を提供するものである。
また、本発明は、合成樹脂発泡体の板又はブロックを積み重ねた軽量盛土の側面に沿って立設された支柱と、該支柱間に取り付けられた壁パネルとを備えた軽量盛土用側壁において、
前記軽量盛土用側壁の直線部に立設された支柱が、前記壁パネルの端部を把持する取付部が設けられた複数の単位柱体を中心軸方向に連結したもので、しかも前記壁パネルが合成樹脂発泡体の芯材の表面に表面材を設けた複合板であって、その端部が前記取付部に把持されて前記支柱間に取り付けられており、
前記軽量盛土用側壁の屈曲部の角部に立設された支柱が、前記壁パネルの端部を把持する１又は複数の取付部が一方向に向けて設けられた複数の外筒を外周側に嵌め込んだ複数の単位柱体を中心軸方向に連結したもので、しかも前記外筒が、その中心軸回りに取付部の向きをずらせて前記単位柱体に嵌め込み可能となっていることを特徴とする軽量盛土用側壁を提供するものでもある。
【０００７】
また、上記本発明は、前記軽量盛土の上面上から各支柱の上方に被さる領域に上部コンクリート床版が形成されており、該上部コンクリート床版の下面に、少なくとも一部の支柱の位置に対応して凹部が形成されており、対応する支柱の上端が前記凹部内に周囲に遊びを持って収納されている一方、各支柱の下端が、傾動を許容する状態で支持されていること、
前記軽量盛土の高さ方向中間部に中間コンクリート床版が挟み込まれており、少なくとも一部の前記支柱の中間部が、少なくとも上下方向の接続角度を可変に接続する接続具で前記中間コンクリート床版に接続されていること
を好ましい態様として含むものである。
【発明の効果】
【０００８】
通常、軽量盛土用側壁は、軽量盛土を構成する合成樹脂発泡体の板又はブロックの積み重ねと共に順次構築される。本発明における支柱は、単位柱体を連結して構成されるので、合成樹脂発泡体の板又はブロックの積み重ねと共に連結して、壁パネルの取り付けに必要な高さだけ順次延ばしていくことができる。従って、壁パネルの取り付け時に高く持ち上げて取り付けるような作業を無くすことができ、しかも壁パネルが合成樹脂発泡体の芯材と表面材の複合板であって軽量であることから、人手によって容易に取り付けることができる。また、単位支柱は短尺化して軽量化できるので、支柱も人手で容易に設置することが可能となる。補修の際も同様で、人手によって容易に壁パネルや支柱の交換を行うことができる。
【０００９】
また、特に屈曲部を有する側壁については、屈曲部の角部に１本の支柱を立てるだけで壁パネルを屈曲状態で連結することができ、しかも取付部の向きを調整可能であるので、壁パネルの取付角度の調整が容易である。
【００１０】
更に、各支柱の上端を上部コンクリート床版の下面に設けた凹部内に周囲に遊びを持って収納すると共に、支柱の下端を傾動を許容する状態で支持しておくと、軽量盛土の沈下などの影響を受けることなく、しかも側壁が軽量盛土に柔軟に支持されることで、耐震性を向上させることができる。また、支柱の中間部を、少なくとも上下方向の接続角度を可変に接続する接続具で中間コンクリート床版に接続しておくと、上記軽量盛土による側壁の柔軟な支持力を高めることができる。
【図面の簡単な説明】
【００１１】
【図１】本発明に係る軽量盛土用側壁を有する軽量盛土の断面図である。
【図２】図１における壁パネルを除去した状態の断面図である。
【図３】直線部の支柱の説明図で、（ａ）は平面図、（ｂ）は正面縦断面図である。
【図４】壁パネルの断面図である。
【図５】直線部における支柱と壁パネルの組み合わせ状態の説明図で、（ａ）は平面図、（ｂ）は正面図である。
【図６】屈曲部の角部に設ける支柱の一例を示す図で、（ａ）は平面図、（ｂ）は正面図である。
【図７】屈曲部の角部に設ける支柱の他の例を示す図で、（ａ）は平面図、（ｂ）は正面図である。
【発明を実施するための形態】
【００１２】
以下、図面に基づいて本発明を更に説明する。なお、以下に参照する図面において、同じ符号は同様の構成要素を示す。
【００１３】
図１及び２に示されるように、合成樹脂発泡体の板又はブロックを積み重ねることにより軽量盛土１が構築されている。軽量盛土１を構成する合成樹脂発泡体の板又はブロックは、押出発泡形成品でもビーズ発泡成形品でもよいが、圧縮強度に優れ、吸水性も小さいことから、押出発泡成形品が好ましい。合成樹脂としては、圧縮強度に優れた発泡体が得られることから、ポリスチレンが好ましい。
【００１４】
図示される軽量盛土１の側面に沿って、支柱２が壁パネル３の幅に応じた間隔で立設されており、この支柱２ａ間に壁パネル３が取り付けられて、側壁４が形成されている。
【００１５】
支柱２ａの下端は、傾動可能に支持されている。本例における支柱２ａはコンクリート等で構成された支持台５に形成された受け部６（図２参照）中に、周囲に余裕を持って下端が差し込まれ、周囲の空間に砂利等を軽く詰めることによって支持されている。
【００１６】
軽量盛土１の上面上には、軽量盛土１の上面から支柱２ａの上方に被さる領域に上部コンクリート床版７が形成されている。この上部コンクリート床版７は、支柱２ａの上方に張り出したカバー材８を設け、軽量盛土１上からこのカバー材８上に亘って形成されている。通常、上部コンクリート床版７は、軽量盛土１上に配筋（図示されていない）を施してからコンクリートを打設することで形成されるので、カバー材８はこの配筋に取り付けておくことができる。
【００１７】
本例におけるカバー材８は、下向きに開口する凹部９が形成されている。この凹部９は、上部コンクリート床版７の下面に、支柱２ａ及び壁パネル３の位置に対応して開口した溝状をなし、支柱２ａ及び壁パネル３の上端が凹部９内に周囲に遊びを持って収納されている。このようにすると、支柱２ａ及び壁パネル３の上端を上部コンクリート床版７で支持して倒伏を防止することができる。また、周囲に遊びが持たされているので、軽量盛土１が経時的に多少沈下しても支柱２ａ及び壁パネル３に荷重が加わることがなく、しかも軽量盛土の振動が直接伝わらないので、耐震性も向上する。上記凹部９による支持は、壁パネル３の上端を上部コンクリート床版７の下面より低くし、支柱２ａの上端のみとしてもよい。この場合の凹部９はコップを逆にしたような形状とすることができる。また、総ての支柱２ａの上端に対応して凹部９を形成してもよいが、一部の支柱２ａの上端のみに対応して凹部９を形成し、この凹部９内に周囲に遊びを持って対応する支柱２ａの上端部を収納して支持してもよい。一部の支柱２ａの上端のみに対応して凹部９を形成する場合、対応する凹部９を形成しない支柱２ａの上端は上部コンクリート床版７の下面より低くしておけばよい。
【００１８】
軽量盛土１の高さ方向中間部には、中間コンクリート床版１０が挟み込まれている。この中間コンクリート床版１０は、積み上げ途中段階の軽量盛土１上に配筋してコンクリートを打設することで形成することができる。この中間コンクリート床版１０を設ける場合、支柱２ａの中間部と中間コンクリート床版１０間を、少なくとも上下方向の接続角度を可変に接続する接続具１１で接続しておくことが好ましい。上下方向の接続角度を可変にしておくことで、軽量盛土１の沈下によって支柱２ａに負荷が加わることを防止することができる。支柱２ａと中間コンクリート床版１０を接続する場合、総ての支柱２ａを接続することが好ましいが、一部の支柱２ａのみであってもよい。
【００１９】
図１及び図２に示される支柱２ａは、軽量盛土１の直線的な側面に沿って形成される側壁４の直線部に設けられているもので、図３に示すように、角柱となっている。円柱とすることもできるが、角柱の方が直線的に配列される壁パネル３との連続性がよく、外観のよい側壁４を形成しやすい。
【００２０】
本例の支柱２ａは、単位柱体１２ａを複数本中心軸方向に連結することで形成されている。単位柱体１２ａは、図３に示されるように、角パイプで構成された内管１３ａの外側にやはり角パイプで構成され、内管１３ａと同じ長さの外管１４ａを、一端から内管１３ａが一部突出した状態となるように嵌め合わせて両者を固定したものとなっている。外管１４ａの外周面には、壁パネル３（図１、図４、図５参照）の左右の側端部を挟み込んで把持する平面コ字形の取付部１５が、背中合わせとなる位置（周方向に１８０度ずれた位置）に、それぞれ中心軸方向に間隔を開けて複数個ずつ取り付けられている。この単位柱体１２ａは、内管１３ａの突出している側を、内管１３ａが引っ込んでいる側の外管１４ａ内に差し込むことで連結することができる。
【００２１】
壁パネル３は、図３に示されるように、合成樹脂発泡体の芯材１６の表面に表面材１７を設けた複合板で構成されている。壁パネル３の芯材１６を構成する合成樹脂発泡体としては、例えばポリスチレン系発泡体、ポリエチレン系発泡体、ポリウレタン系発泡体等を用いることができる。芯材１６は押出発泡成形品、ビーズ発泡成形品、更には表面材１７間に注入発泡させたものでもよい。好ましくは、剛性に優れることから、ポリスチレン系の押出発泡成形品である。表面材１７としては、強度、耐候性等の点から、例えばガルバリウム鋼板等の金属板が好ましい。本例における壁パネル３は、上下方向に接続することができるよう、上下の一端が突条部１８、他端がこの突条部１８を差し込むことができる溝部１９となっている。
【００２２】
支柱２ａの組立と、支柱２ａへの壁パネル３の取り付けは、図５に示されるようにして、両者並行して行われる。即ち、まずは前記支持台５（図１、図２参照）に単位柱体１２ａを立てる。単位柱体１２ａは、壁パネル３の側端部の長さに合わせた長さとしておくことが好ましいが、それより短くしたり長くしたりすることもできる。必要に応じて、単一の単位柱体１２ａ又は複数本の単位柱体１２ａを連結して立て、複数の取付部１５に対し、サポート材２０を嵌め込んだ壁パネル３の側端部を嵌め込んで、必要に応じてビス等で固定する。サポート材２０は、平面コ字形をなす棒状材料で、壁パネル３の側端部を挟み込ませて取り付けておくことで、壁パネル３の側端部の補強材として機能する。壁パネル３の取り付け後、適当な高さまで軽量盛土１を積み上げてから、壁パネル３を取り付けた単位柱体１２ａの上端に別の単位柱体１２ａを連結し、必要に応じてビス等で固定した後、この上側の新たな単位柱体１２ａに同様にして壁パネル３を取り付ける。そして、再度軽量盛土１の積み上げを行い、更に単位柱体１２の連結と壁パネル３の取り付けを繰り返すことで、必要な高さの側壁４を構築することができる。
【００２３】
前記のように、図３で説明した単位柱体１２ａを連結して形成される支柱２ａは、軽量盛土１の直線的な側面に沿って形成される側壁４の直線部に使用されるものである。軽量盛土１の屈曲した側面に沿って形成される側壁４の屈曲部の角部には、例えば図６に示される支柱２ｂが用いられる。図６の支柱２ｂも単位柱体１２ｂを中心軸方向に複数連結して形成されるものである点は上述の支柱２ａと同様である。しかし、上述の支柱２ａの単位柱体１２ａでは二方向に向けて取付部１５が設けられているのに対し、図６の支柱２ｂの単位柱体１２ｂの取付部１５は一方向を向いたものとなっている。図６に示される単位柱体１２ｂは１つの取付部１５を備えたものとなっているが、取付部１５は１本の単位柱体１２ｂに対してその中心軸方向に複数設けることもでき、この場合でも１本の単位柱体１２ｂに設けられる取付部１５は同じ方向に向けて設けられる。
【００２４】
単位柱体１２ｂは、内管１３ｂの外側に、内管１３ｂと同じ長さの外管１４ｂを、一端から内管１３ｂが一部突出した状態となるように嵌め合わせて両者を固定したものであるが、内管１３ｂは角パイプで外管１４ｂは円パイプとなっている。内管１３ｂは円パイプでもよいが、これを角パイプとしているのは、耐屈曲性を高めるためで、取付部１５は内管１３ｂの角部の位置に設けることが好ましい。
【００２５】
単位柱体１２ｂの連結は単位柱体１２ａ（図３参照）と同様にして行われるが、外管１４ｂが内管１３ｂと嵌まり合う円管で構成されているので、上下の単位柱体１２ｂの取付部１５の位置を、中心軸回りに任意の角度にずらせて連結可能となっている。従って、９０°に屈曲した屈曲部の角部に立設する、上下の単位柱体１２ｂの取付部１５の位置を、中心軸回りに９０°ずらせておけば、左右の壁パネル３を９０°の角度で連結することができる。
【００２６】
単位柱体１２ｂの長さは、１枚の壁パネル３の側端部を間隔を開けて２箇所以上で取付部１５で把持できるよう、壁パネル３の側端部の長さの１／４以下の長さとすることが好ましい。このような比較的短い単位柱体１２ｂを、取付部１５の方向を交互にずらせながら連結することで、屈曲部における壁パネ３を安定して支持することができる。
【００２７】
側壁４の屈曲部の角部には、図７に示される支柱２ｃを立設することもできる。この支柱２ｃは、一方向に向けて取付部１５が設けられた複数の外筒２１を外周側に嵌め込んだ複数の単位柱体１２ｃを中心軸方向に連結したものとなっている。本例における取付部１５も、１本の単位柱体１２ｃに対してその中心軸方向に複数設けることもでき、この場合でも１本の単位柱体１２ｃに設けられる取付部１５は同じ方向に向けて設けられる。
【００２８】
単位柱体１２ｃは、内管１３ｃの外側に、内管１３ｃと同じ長さの外管１４ｂを、一端から内管１３ｃが一部突出した状態となるように嵌め合わせて両者を固定したもので、内管１３ｃは角パイプで外管１４ｃは円パイプとなっているのは図６の例と同様である。また、外筒１２ｅは、外管１４ｃの外周側に嵌まり合う円筒物となっている。しかも外筒２１が、その中心軸回りに取付部１５の向きをずらせて単位柱体１２ｃに嵌め込み可能となっている。本例においては、外筒２１の嵌め込み時の周方向位置を調整することで屈曲部における壁パネ３を安定して支持することができる。なお、本例の場合、単位柱体１２ｃの長さは図３に示される単位柱体１２ａと同様で、外筒２１の長さは図６に示される単位柱体１２ｂと同等とすると作業性がよいので好ましい。
【００２９】
なお、支柱２ｂ，２ｃの組立と、支柱２ｂ，２ｃへの壁パネル３の取り付けは、支柱２ａの組立と、支柱２ａへの壁パネル３の取り付けと同様にして行うことができる。
【符号の説明】
【００３０】
１  軽量盛土
２ａ，２ｂ，２ｃ  支柱
３  壁パネル
４  側壁
５  支持台
６  受け部
７  上部コンクリート床版
８  カバー材
９  凹部
１０  中間コンクリート床版
１１  接続具
１２ａ，１２ｂ，１２ｃ  単位柱体
１３ａ，１３ｂ，１３ｃ  内管
１４ａ，１４ｂ，１４ｃ  外管
１５  取付部
１６  芯材
１７  表面材
１８  凸条部
１９  溝部
２０  サポート材
２１  外筒
【図１】
0005675483.tif 000002
【図２】
0005675483.tif 000003
【図３】
0005675483.tif 000004
【図４】
0005675483.tif 000005
【図５】
0005675483.tif 000006
【図６】
0005675483.tif 000007
【図７】
0005675483.tif 000008